(57)【要約】【課題】  簡単な構成で小形かつ使用勝手の良い電池蓋装置を提供する。【解決手段】  電池蓋装置３１は、電池蓋３０と、蓋保持部材８１と、軸部材８２と、脱落防止部材８３を備えている。電池蓋３０は、閉じ位置と、この閉じ位置から直進移動した準閉じ位置と、開き位置とに変位可能である。電池蓋３０は、蓋保持部材８１に直進移動可能に取付けられている。脱落防止部材８３は、電池４５の脱落を防止する係止位置と、係止位置から直進移動した準係止位置と、準係止位置から回動移動した開放位置とに変位可能である。電池蓋３０は、この電池蓋３０を上記開き位置から上記準閉じ位置へと変位させる際に、脱落防止部材８３を上記準係止位置へと変位させる第１の押圧部１３１を有している。また電池蓋３０は、電池蓋３０を上記準閉じ位置から閉じ位置へと変位させる際に、脱落防止部材８３を上記係止位置へと変位させる第２の押圧部１３２を有している。【選択図】    図１０
2005235579.tif 000002
【特許請求の範囲】
【請求項１】
電池を挿脱するための挿脱口を覆う閉じ位置と、この閉じ位置から直進移動した準閉じ位置と、この準閉じ位置から回動して上記挿脱口を開放する開き位置とに変位可能な電池蓋と、
上記電池蓋が直進移動可能に取付けられる蓋保持部材と、
上記蓋保持部材を回動可能に支持する軸部材と、
上記軸部材に回動および直進移動可能に支持され、上記電池の脱落を防止する係止位置と、この係止位置から直進移動した準係止位置と、この準係止位置から回動移動した開放位置とに変位可能な脱落防止部材と、
上記電池蓋に設けられ、該電池蓋を上記開き位置から上記準閉じ位置へと変位させる際に、上記脱落防止部材と当接して該脱落防止部材を上記開放位置から上記準係止位置へと変位させる第１の押圧部と、
上記電池蓋に設けられ、該電池蓋を上記準閉じ位置から閉じ位置へと変位させる際に、上記脱落防止部材と当接して該脱落防止部材を上記準係止位置から上記係止位置へと変位させる第２の押圧部と、
を具備したことを特徴とする電池蓋装置。
【請求項２】
上記脱落防止部材を上記準係止位置から上記開放位置に向けて回動するように付勢する付勢部材と、
上記脱落防止部材が上記係止位置にある際に、上記付勢部材の付勢力に抗して回動を規制する回転止め部とをさらに具備し、
上記脱落防止部材を上記係止位置から上記準係止位置へと変位させることで、上記回転止め部による回動規制が解除されることを特徴とする請求項１に記載の電池蓋装置。
【請求項３】
上記脱落防止部材が上記係止位置にある際に、該脱落防止部材を所定の保持力でもって保持する保持手段を具備したことを特徴とする請求項２に記載の電池蓋装置。
【請求項４】
上記保持手段は、上記脱落防止部材に設けられて上記軸部材が挿入される軸孔部の内面側に突出する凸部であることを特徴とする請求項３に記載の電池蓋装置。
【請求項５】
上記挿脱口から挿脱可能な媒体を収納する収納室を有し、上記媒体が該収納室によって保持可能であることを特徴とする請求項１ないし４のいずれか１項に記載の電池蓋装置。
【請求項６】
請求項１ないし請求項５のいずれか１項に記載の電池蓋装置を有する電子機器。
【発明の詳細な説明】
【技術分野】
【０００１】
この発明は、例えばデジタルカメラ、携帯電話、レコーダ等に用いる電池蓋装置及びこれを有する電子機器に関する。
【背景技術】
【０００２】
電池を用いるデジタルカメラやレコーダ等の電子機器に、スライド式あるいは回動式の電池蓋が使用されている。（例えば下記特許文献１〜３参照）
特許文献１の電池収納装置は、回動軸を中心に回動する蓋保持板と、この蓋保持板にスライド可能に設けられた電池蓋とを備えている。  
特許文献２の電池蓋支持機構は、支持軸を中心に回動する電池接片と、この電池接片にスライド可能に設けられた電池蓋とを備えている。  
特許文献３の電子機器は、軸連結部（蝶番部）を中心に回動する電池蓋と、電池をロックするバッテリーロック部材とを備えている。
【特許文献１】特開２００２−２７９９５０号公報
【特許文献２】特開平９−１８６４６９号公報
【特許文献３】特開平９−２２５８５号公報
【発明の開示】
【発明が解決しようとする課題】
【０００３】
前記特許文献１，２に記載された技術では、電池蓋を開放した際に電池収容室の挿脱口が下を向いていると、電池が脱落するおそれがある。特に、電池蓋が電池以外の物品（例えば記録媒体）の収納室の蓋を兼ねている場合、該物品を挿脱する際に電池蓋を開放すると、電池が脱落してしまうことがあり、使い勝手が良くない。
【０００４】
特許文献３の電池蓋装置は、電池収納室の開口部付近にバッテリーロック部材を設け、このバッテリーロック部材を上記開口部に向けて直進移動させるようにしている。このため、上記開口部付近にスペース的な余裕が無いと、バッテリーロック部材やロック機構を配置することが困難である。しかも特許文献３の技術では、バッテリーロック部材をロック位置までスライドさせたときに、バッテリーロック部材の位置によっては電池蓋がバッテリーロック部材に引っ掛ってしまい、電池蓋を閉じることができないなど、使い勝手が悪い。
【０００５】
従ってこの発明の目的は、簡単な構成で小形かつ使用勝手の良い電池蓋装置及びこれを有する電子機器を提供することにある。
【課題を解決するための手段】
【０００６】
第１の観点に基く本発明の電池蓋装置は、電池蓋と、蓋保持部材と、軸部材と、脱落防止部材と、第１の押圧部と、第２の押圧部とを具備している。  
上記電池蓋は、電池を挿脱するための挿脱口を覆う閉じ位置と、この閉じ位置から直進移動した準閉じ位置と、この準閉じ位置から回動して上記挿脱口を開放する開き位置とに変位可能である。上記蓋保持部材に、上記電池蓋が直進移動可能に取付けられる。
【０００７】
上記軸部材は、上記蓋保持部材を回動可能に支持する。上記脱落防止部材は、上記軸部材に回動および直進移動可能に支持され、上記電池の脱落を防止する係止位置と、この係止位置から直進移動した準係止位置と、この準係止位置から回動移動した開放位置とに変位可能である。
【０００８】
上記第１の押圧部は、上記電池蓋に設けられ、該電池蓋を上記開き位置から上記準閉じ位置へと変位させる際に、上記脱落防止部材と当接して該脱落防止部材を上記開放位置から上記準係止位置へと変位させるものである。上記第２の押圧部は、上記電池蓋に設けられ、該電池蓋を上記準閉じ位置から閉じ位置へと変位させる際に、上記脱落防止部材と当接して該脱落防止部材を上記準係止位置から上記係止位置へと変位させるものである。
【０００９】
本発明の好ましい形態では、上記脱落防止部材を上記準係止位置から上記開放位置に向けて回動するように付勢する付勢部材と、上記脱落防止部材が上記係止位置にある際に、上記付勢部材の付勢力に抗して回動を規制する回転止め部とをさらに具備し、上記脱落防止部材を上記係止位置から上記準係止位置へと変位させることで、上記回転止め部による回動規制が解除されるようにしている。
【００１０】
本発明の好ましい形態では、上記脱落防止部材が上記係止位置にある際に、該脱落防止部材を所定の保持力でもって保持する保持手段をさらに備えている。保持手段の一例は、上記脱落防止部材に設けられて上記軸部材が挿入される軸孔部の内面側に突出する凸部である。
【００１１】
本発明の好ましい形態では、上記挿脱口から挿脱可能な媒体を収納する収納室（例えばメディアスロット）を有し、上記媒体が該収納室によって保持可能である。
【００１２】
第２の観点に基く本発明では、上記電池蓋装置を備えた電子機器を提供する。電子機器の一例は、デジタルカメラやレコーダあるいはカメラ付き携帯電話等に代表される電池を用いる電子機器である。
【発明の効果】
【００１３】
本発明によれば、簡単な構成により、小形かつ使用勝手の良い電池蓋装置を提供することができる。また、この電池蓋装置を電子機器に用いることにより、電子機器の小形化と使用勝手の向上に寄与することができる。
【発明を実施するための最良の形態】
【００１４】
以下に本発明の一実施形態について、図１から図１４を参照して説明する。  
図１は電子機器の一例としてのデジタルカメラ１０を示している。図２は、このデジタルカメラ１０の分解斜視図である。
【００１５】
図２に示されるように、デジタルカメラ１０の筐体を構成するボデー１１は、いわゆるナカオビと称される枠部材１２と、この枠部材１２の前面側に設ける前カバー１４と、枠部材１２の後面側に設ける後カバー１５等によって構成されている。前カバー１４と後カバー１５は、ねじ部材１６によって枠部材１２に固定される。
【００１６】
枠部材１２は例えば合成樹脂の一体成形品からなる。前カバー１４と後カバー１５は、例えば軽合金のダイキャストからなる。前カバー１４に撮像用の入射窓２０やストロボ光の射出部２１、前パネル２２等が設けられている。
【００１７】
枠部材１２にレリーズボタン２５が設けられている。枠部材１２の下部に、電池挿脱口２６が形成されている。電池挿脱口２６は、枠部材１２に設ける開閉可能な電池蓋３０によって覆うことができる。電池挿脱口２６と電池蓋３０等によって、本発明に係る電池蓋装置３１が構成されている。この電池蓋装置３１の詳細については後述する。
【００１８】
後カバー１５に板状のフレーム３５が固定される。フレーム３５の前面側に、回路基板（ＭＣ基板）３６とサブ基板３７が配置されている。このフレーム３５に、鏡枠４０と、ストロボユニット４１と、コンデンサ４２と、フレキシブル配線基板４３と、電池収納ケース４４などが取付けられる。鏡枠４０には撮像光学系を構成するプリズムや撮像素子等が収容されている。電池収納ケース４４に電池４５が収納される。
【００１９】
図３はデジタルカメラ１０の内部を示す断面図である。回路基板３６と電池収納ケース４４との間に、媒体を収納する収納室として機能するメディアスロット５０が配置されている。メディアスロット５０のメディア挿脱口５１は、電池蓋３０によって覆うことができる。メディアスロット５０は自己保持形であり、例えばカード状のメディアＭ（図８等に示す）を挿入した状態で保持することができるようになっている。
【００２０】
図３に示されるように、メディア挿脱口５１の近傍に、電池蓋３０の開閉を検出するスイッチ５２が設けられている。後カバー１５には、液晶ユニット５３と、防塵シート５４と、液晶ユニット５３の表示面を透視可能な透光性の後パネル５５が設けられている。
【００２１】
以下に電池蓋装置３１について説明する。  
図４は、前記ボデー１１の一部を電池蓋装置３１を上に向けた姿勢で示す分解斜視図である。図５は、電池挿脱口２６付近を拡大して示している。図８に示すように、電池挿脱口２６の例えば前側に、メディア挿脱口５１が位置している。メディア挿脱口５１の近傍に、メディアＭの挿入を案内するガイド部５６が設けられている。電池挿脱口２６の後側に軸受け枠部６０が形成されている。
【００２２】
図５に拡大して示すように、軸受け枠部６０に、後述する軸部材８２の両端部８２ａ，８２ｂが挿入される一対の溝６１が形成されている。一対の溝６１間に、ヒンジ受入れ部６３と、円弧状の断面の凹部６５と、スリット６７が形成されている。凹部６５の近傍に回転止め部６８が形成されている。
【００２３】
溝６１の周囲に形成された平坦な形状の支持壁７１に、ねじ部材７３を挿入するねじ孔７５が形成されている。金属製の後カバー１５には、上記支持壁７１と対応した位置に、一対の押さえ壁７７が形成されている。
【００２４】
図６は電池蓋ユニット８０の分解斜視図である。この電池蓋ユニット８０は、例えば合成樹脂からなる前記電池蓋３０と、金属板をプレス成形してなる蓋保持部材８１と、円柱状の軸部材（ヒンジ軸）８２と、脱落防止部材８３と、付勢部材として機能するねじりコイルばね８４などを備えている。
【００２５】
蓋保持部材８１の基部側に、軸部材８２を挿入する筒部９０が形成されている。一対の筒部９０間に脱落防止部材８３が配置され、脱落防止部材８３の内部に上記ばね８４が収容された状態で、軸部材８２が、筒部９０と、脱落防止部材８３の軸孔部９２に挿入される。図２に示すように、軸部材８２の両端部８２ａ，８２ｂは、筒部９０の外側に所定量突出している。
【００２６】
上記電池蓋ユニット８０を枠部材１２に組付ける際には、軸部材８２の両端部８２ａ，８２ｂを、軸受け枠部６０の溝６１（図５に示す）に挿入したのち、押さえ壁７７を支持壁７１に重ね、ねじ部材７３によって支持壁７１に固定すればよい。このため電池蓋ユニット８０の組付けを容易に行うことができる。
【００２７】
図６に示すように、電池蓋３０の内面側に一対のガイド部１００が形成されている。これらガイド部１００に蓋保持部材８１の両側部１０１がスライド自在に嵌合することにより、蓋保持部材８１が図６に矢印Ａ１で示す方向に直進移動できるようになっている。
【００２８】
電池蓋３０の先端部には、電池蓋３０の内方に向かって突出する係止部１０２が形成されている。この係止部１０２は、電池蓋３０が図８に示す閉じ位置にあるときに、枠部材１２に形成されている受け部１０３に嵌合し、電池蓋３０をロックすることができるようになっている。
【００２９】
図７に示すように脱落防止部材８３の軸孔部９２は、軸部材８２の外径に対応した内径の第１の孔部１１１および第２の孔部１１２と、これらの孔部１１１，１１２間に形成された連通部１１３を有している。軸部材８２は孔部１１１，１１２のいずれか一方に選択的に位置することができる。
【００３０】
連通部１１３には、軸孔部９２の内面側に突出する凸部によって構成される保持部１１４が形成されている。この保持部１１４は、軸部材８２が第１の孔部１１１に位置しているときに、軸部材８２が第２の孔部１１２に向かって相対移動しないよう、所定の保持力でもって保持する保持手段として機能するものである。
【００３１】
すなわち、連通部１１３の幅Ｗ（図７に示す）を、軸部材８２の外径よりも僅かに小さくしている。このため、軸部材８２が第１の孔部１１１から第２の孔部１１２に向かって連通部１１３を移動する際、あるいはその逆方向に移動する際に、軸部材８２が保持部１１４に当たり、連通部１１３を押し広げながら移動する。このため、軸部材８２の移動をある程度阻止するような適度な抵抗が生じることになる。
【００３２】
図８に示すように、ばね８４は、ねじりトルクを与えた状態で、一端８４ａが軸受け枠部６０のスリット６７の後壁に係止されている。ばね８４の他端８４ｂは脱落防止部材８３の一部８５に係止される。このため脱落防止部材８３は、ばね８４の弾力によって、図８において時計回り方向、すなわち開放位置に向かって付勢される。脱落防止部材８３の後端には、前記回転止め部６８に当接可能な当接部１１６が形成されている。
【００３３】
図６と図１３に示すように、蓋保持部材８１にストッパ部１２０が形成されている。このストッパ部１２０は、電池蓋３０に形成された凹部１２１に挿入されている。ストッパ部１２０が凹部１２１の内面壁１２２，１２３のいずれか一方に当接することにより、電池蓋３０が蓋保持部材８１に対して直進移動する際のストロークが規制される。
【００３４】
図８は、電池蓋３０が閉じ位置にあり、脱落防止部材８３が係止位置にある状態を示している。  
図９は、電池蓋３０が準閉じ位置にあり、脱落防止部材８３が係止位置にある状態を示している。  
図１０は、電池蓋３０が開き位置にあり、脱落防止部材８３が係止位置にある状態を示している。
【００３５】
図１１は、電池蓋３０が開き位置にあり、脱落防止部材８３が準係止位置にある状態を示している。  
図１２は、電池蓋３０が開き位置にあり、脱落防止部材８３が開放位置にある状態を示している。
【００３６】
電池蓋３０の内面には、電池蓋３０が閉じ位置と準閉じ位置との間を直進移動する際にクリック感が生じるように、凸部１２５が形成されている。蓋保持部材８１には、凸部１２５と対応した位置に、当接部１２６が形成されている。
【００３７】
電池蓋３０が、図８に示す閉じ位置から、図９に示す準閉じ位置に移動する際、あるいはその逆方向に移動する際に、当接部１２６が凸部１２５を弾性的に乗り越えることによってクリック感が生じ、閉じ位置から準閉じ位置への移動、あるいはその逆方向の移動が完了したことを、操作者が手指の感触によって知ることができるようになっている。
【００３８】
電池蓋３０の裏面には、脱落防止部材８３の端部１３０と当接可能な第１の押圧部１３１が形成されている。この第１の押圧部１３１は、電池蓋３０を開き位置（図１２）から準閉じ位置（図９）へと変位させる際に、脱落防止部材８３の端部１３０と当接することによって、脱落防止部材８３を開放位置（図１２）から上記準係止位置（図９）へと変位させる機能を担っている。
【００３９】
さらに電池蓋３０には、脱落防止部材８３の一部８３ａと当接可能な位置に、第２の押圧部１３２が設けられている。この第２の押圧部１３２は、電池蓋３０を準閉じ位置（図９）から閉じ位置（図８）へと変位させる際に、脱落防止部材８３の一部８３ａに当接することによって、脱落防止部材８３を準係止位置（図９に２点鎖線で示す位置）から係止位置（図８）へと変位させる機能を担っている。
【００４０】
次に上記構成の電池蓋装置３１の作用について説明する。  
図８に示すように電池蓋３０が閉じ位置にあるとき、電池蓋３０の係止部１０２が枠部材１２の受け部１０３に嵌合している。このため電池蓋３０は閉じ位置でロックされている。このとき脱落防止部材８３は係止位置にあり、軸部材８２は第１の孔部１１１に嵌合している。
【００４１】
図９に示すように電池蓋３０を矢印Ａ２で示す方向にスライドさせることにより、電池蓋３０を準閉じ位置に移動させる。こうすることにより、電池蓋３０の係止部１０２が受け部１０３から離脱するため、電池蓋３０を開けることができる状態となる。このとき脱落防止部材８３は係止位置にある。
【００４２】
図１０に示すように電池蓋３０を軸部材８２を中心に開放位置まで回動させると、メディアスロット５０のメディア挿脱口５１が外部に開放されるため、メディアＭを出し入れすることが可能となる。このとき脱落防止部材８３は係止位置にあり、保持部１１４によって準係止位置へ移動することが阻止されているとともに、回転止め部６８によって開放位置へ回動することが規制されている。このため、挿脱口２６を下に向けても、電池４５が脱落することはない。
【００４３】
電池４５を取出すには、脱落防止部材８３の端部１３０等に手指を掛けるなどして、図１１に示すように脱落防止部材８３を矢印Ａ３の方向、すなわち準係止位置へと変位させる。こうすることにより、軸部材８２が第２の孔部１１２に嵌合するとともに、脱落防止部材８３の当接部１１６が回転止め部６８から離れ、凹部６５と対応する位置まで移動する。このため回転止め部６８による脱落防止部材８３の回動規制が解除される。
【００４４】
この状態で脱落防止部材８３から手指を離すと、図１２に示すように、ばね８４の弾力によって、脱落防止部材８３が軸部材８２を中心に開放位置まで回動する。凹部６５は、脱落防止部材８３が開放位置まで回転することを妨げないように、軸部材８２の中心から凹部６５までの曲率半径Ｒ１（図７に示す）を、第２の孔部１１２の中心Ｃ１から脱落防止部材８３の当接部１１６までの距離Ｒ２よりも大きくしている。
【００４５】
電池４５は、図示しないばねによって電池挿脱口２６から出る方向（図１２に矢印Ａ４で示す方向）に付勢されているため、脱落防止部材８３が前記開放位置まで移動したときに、電池４５の一部が電池挿脱口２６から少し出てくる。このため、電池４５を容易に取出すことができる。
【００４６】
図１３および図１４に示すように、電池蓋３０が開放位置まで移動し、電池蓋３０の一部３０ａが後カバー１５の支持部１５ａに当接した状態で、矢印Ａ５で示す方向の力が電池蓋３０に加わると、軸部材８２が溝６１から抜け出る方向（図１３と図１４に矢印Ａ６で示す方向）のモーメントが生じる。
【００４７】
しかるにこの実施形態の後カバー１５は、例えばアルミニウム合金等のように樹脂よりも強度の高い材料からなるため、押さえ壁７７の強度が大である。このため、軸部材８２が溝６１から抜け出ようとする矢印Ａ６方向の動きを、押さえ壁７７によって十分な強度で押さえることができ、電池蓋ユニット８０が脱落する不具合を防止することができる。
【００４８】
また、押さえ壁７７にて後カバー１５を軸受け枠部６０の支持壁７１にねじ部材７３によって固定しているため、上記Ａ６方向への軸部材８２の動きを効果的に抑えることができる。
【００４９】
電池蓋３０を閉めるには、図１２の状態から、電池蓋３０を矢印Ａ７で示す閉じ方向に回動させることにより、図９に示す準閉じ位置まで移動させる。このとき、脱落防止部材８３は、電池蓋３０と共に軸部材８２を中心に矢印Ａ７方向に回動する。しかし電池蓋３０が準閉じ位置（図９）まで移動しても、脱落防止部材８３は２点鎖線で示す準係止位置にとどまっている。
【００５０】
図９の状態から電池蓋３０を矢印Ａ８で示す閉じ位置に向かって移動させると、電池蓋３０の第２の押圧部１３２が脱落防止部材８３の一部８３ａに当接することにより、電池蓋３０と脱落防止部材８３が一体となって矢印Ａ８の方向に移動する。このため、軸部材８２が第１の孔部１１１に嵌合し、電池蓋３０が図８に示す閉じ位置に戻るとともに、脱落防止部材８３が係止位置に戻ることができる。
【００５１】
以上説明したように本実施形態の電池蓋装置３１によれば、電池蓋３０を開けたときに電池４５が脱落することを脱落防止部材８３によって防止でき、電池４５を取出す際には、脱落防止部材８３を開放位置まで回動させることにより、電池４５の取出しが可能となる。
【００５２】
電池蓋３０を閉じる際には、電池蓋３０の第１の押圧部１３１によって脱落防止部材８３が準係止位置まで戻され、さらに電池蓋３０を閉じ位置に変位させることに伴い、第２の押圧部１３２によって脱落防止部材８３が係止位置に戻される。このため電池蓋３０を閉じる際には、電池蓋３０のみを閉位置まで移動させればよく、脱落防止部材８３を操作する必要がないため、取り扱いが容易であるという利点もある。
【００５３】
また、脱落防止部材８３が軸部材８２の近傍位置に設けられているため、挿脱口２６の周囲にスペース的な余裕が少なくても、脱落防止部材８３を問題無く配置することができる。
【００５４】
なお本発明を実施するに当たって、電池蓋や蓋保持部材、軸部材、脱落防止部材、第１および第２の押圧部をはじめとして、本発明の構成要素を、発明の要旨を逸脱しない範囲で適宜変形して実施できることは言うまでもない。
【図面の簡単な説明】
【００５５】
【図１】本発明の一実施形態を示すデジタルカメラの斜視図。
【図２】図１に示されたデジタルカメラの分解斜視図。
【図３】図１中のＦ３−Ｆ３線に沿うデジタルカメラの断面図。
【図４】図１に示されたデジタルカメラの一部を底部側から見た分解斜視図。
【図５】図４に示されたデジタルカメラのボデーの一部を拡大して示す斜視図。
【図６】前記デジタルカメラの電池蓋ユニットの分解斜視図。
【図７】前記電池蓋ユニットの脱落防止部材の断面図。
【図８】前記デジタルカメラの電池蓋が閉じた状態の断面図。
【図９】前記電池蓋を準閉じ位置まで移動させた状態の断面図。
【図１０】前記電池蓋を開けた状態の断面図。
【図１１】脱落防止部材を準係止位置まで移動させた状態の断面図。
【図１２】脱落防止部材が開放位置まで移動した状態の断面図。
【図１３】図５中のＦ１３−Ｆ１３線に沿うデジタルカメラの一部の断面図。
【図１４】図５中のＦ１４−Ｆ１４線に沿うデジタルカメラの一部の断面図。
【符号の説明】
【００５６】
１０…デジタルカメラ（電子機器）
２６…挿脱口
３０…電池蓋
３１…電池蓋装置
４５…電池
５０…メディアスロット（媒体の収納室）
６８…回転止め部
８１…蓋保持部材
８２…軸部材
８３…脱落防止部材
８４…ばね（付勢部材）
９２…軸孔部
１１４…保持部（保持手段）
１３１…第１の押圧部
１３２…第２の押圧部
【図１】
2005235579.tif 000003
【図２】
2005235579.tif 000004
【図３】
2005235579.tif 000005
【図４】
2005235579.tif 000006
【図５】
2005235579.tif 000007
【図６】
2005235579.tif 000008
【図７】
2005235579.tif 000009
【図８】
2005235579.tif 000010
【図９】
2005235579.tif 000011
【図１０】
2005235579.tif 000012
【図１１】
2005235579.tif 000013
【図１２】
2005235579.tif 000014
【図１３】
2005235579.tif 000015
【図１４】
2005235579.tif 000016